(57)【要約】【課題】円滑な点検を行うことができる発信機を提供することを目的としている。【解決手段】信号を送信する際に押下される押ボタンを備えた発信機であって、押ボタンを収容する収容部が形成されている筐体と、筐体に取り付けられ、押ボタンを保護する保護カバーと、保護カバーと押ボタンとの間に配置され、保護カバー側から押ボタン側に移動するように構成されている押込部材と、を備え、押ボタンには、押込部材に対向する押込面が形成され、保護カバーは、正面から見たときに押込面の形成範囲と重なる部分を第１の領域とし、第１の領域よりも保護カバーの縁側の部分を第２の領域としたとき、開口部が第２の領域に形成され、押込部材は、開口部が形成されている位置に配置されている。【選択図】図２
2018081341.tif 000002
【特許請求の範囲】
【請求項１】
信号を送信する際に押下される押ボタンを備えた発信機であって、
前記押ボタンを収容する収容部が形成されている筐体と、
前記筐体に取り付けられ、前記押ボタンを保護する保護カバーと、
前記保護カバーと前記押ボタンとの間に配置され、前記保護カバー側から前記押ボタン側に移動するように構成されている押込部材と、
を備え、
前記押ボタンには、前記押込部材に対向する押込面が形成され、
前記保護カバーは、正面から見たときに前記押込面の形成範囲と重なる部分を第１の領域とし、前記第１の領域よりも前記保護カバーの縁側の部分を第２の領域としたとき、開口部が前記第２の領域に形成され、
前記押込部材は、前記開口部が形成されている位置に配置されている
ことを特徴とする発信機。
【請求項２】
前記保護カバーは、前記開口部が下部に形成されている
ことを特徴とする請求項１に記載の発信機。
【請求項３】
前記収容部には、前記押込部材の端部に配置されているガイド部材が設けられ、
前記開口部は、円弧状に形成され、
前記ガイド部材は、前記押込部材が前記保護カバー側から前記押ボタン側に移動するときに、前記押込部材が回動するように構成されている
ことを特徴とする請求項１又は２に記載の発信機。
【請求項４】
前記保護カバーは、環状の周縁部と、前記周縁部の内側に配置された中心部と、前記周縁部と前記中心部との間に形成されている薄肉部とを含み、
前記開口部は、前記薄肉部に形成されている
ことを特徴とする請求項１〜３のいずれか一項に記載の発信機。
【発明の詳細な説明】
【技術分野】
【０００１】
本発明は、発信機に関し、特に、例えば火災時に火災信号を送信するために押下される押ボタンを備えた発信機に関するものである。
【背景技術】
【０００２】
例えばトンネル等の構造物においては、消火栓等の消火機器が予め定められた間隔で配置されている。そして、この消火機器には、例えば警報信号を送信することができるように構成された、押ボタン式の発信機が付設されている。このような発信機には、例えば、筐体に収容された押ボタンの対向位置に保護カバーが取り付けられているものが提案されている（例えば、特許文献１参照）。
【０００３】
特許文献１の発信機を使用する場合には、操作された発信機を一目で特定するために、保護カバーを押し込んで破壊することで押ボタンを押下する。一方、特許文献１のような発信機は火災等を報知するものであるため、適切に動作するか否かを点検する必要がある。このため、保護カバーを破壊せずに点検するために、保護カバーの中心部には検査棒を挿入する開口部が形成されている。これにより、点検者は、筐体から保護カバーを外さなくても、押ボタンを押す作業を行うことができる。
【先行技術文献】
【特許文献】
【０００４】
【特許文献１】実用新案登録第３１６６５６０号公報
【発明の概要】
【発明が解決しようとする課題】
【０００５】
点検者が保護カバーの開口部に検査棒を挿入し、押ボタンを押下すると、検査棒の先端によって押ボタンを破損させてしまう可能性がある。
【０００６】
本発明は、上記のような課題を背景としてなされたものであり、円滑な点検を行うことができる発信機を提供することを目的としている。
【課題を解決するための手段】
【０００７】
本発明の発信機は、信号を送信する際に押下される押ボタンを備えた発信機であって、押ボタンを収容する収容部が形成されている筐体と、筐体に取り付けられ、押ボタンを保護する保護カバーと、保護カバーと押ボタンとの間に配置され、保護カバー側から押ボタン側に移動するように構成されている押込部材と、を備え、押ボタンには、押込部材に対向する押込面が形成され、保護カバーは、正面から見たときに押込面の形成範囲と重なる部分を第１の領域とし、第１の領域よりも保護カバーの縁側の部分を第２の領域としたとき、開口部が第２の領域に形成され、押込部材は、開口部が形成されている位置に配置されている。
【発明の効果】
【０００８】
本発明によれば、押込部材は開口部が形成されている位置に配置されており、開口部に棒状部材を挿入しても、当該棒状部材の先端が直に押ボタンに接触してしまうことを回避することができる。このため、本発明によれば、発信機の押ボタンが破損することを回避することができ、発信機の円滑な点検を行うことができる。
【図面の簡単な説明】
【０００９】
【図１】実施の形態１に係る発信機を備えた設備機器の一例の説明図である。
【図２】実施の形態１に係る発信機の概要構成例図である。
【図３】（ａ）が実施の形態１に係る発信機の正面図であり、（ｂ）が（ａ）に示すＡ−Ａ断面図であり、（ｃ）が発信機を側方から見た図である。
【図４】実施の形態１に係る発信機の斜視図である。
【図５】実施の形態２に係る発信機の概要構成例図である。
【図６】（ａ）が実施の形態２に係る発信機の正面図であり、（ｂ）が（ａ）に示すＡ−Ａ断面図である。
【図７】実施の形態２に係る発信機が備える構成の一部及び治具の斜視図である。
【発明を実施するための形態】
【００１０】
本発明に係る発信機の実施の形態を、図面に基づいて説明する。なお、以下に示す図面の形態によって本発明が限定されるものではなく、本発明の技術思想の範囲内において、適当な変更ならびに修正がなされうる。
【００１１】
実施の形態１．
図１は、実施の形態１に係る発信機１００を備えた設備機器２００の一例の説明図である。図１（ａ）は設備機器２００がトンネルＴｕに設置されている状態を模式的に示し、図１（ｂ）は設備機器２００の全体構成を模式的に示している。
【００１２】
［発信機１００の設置例］
例えばトンネルＴｕ等の構造物には、火災等が発生した旨の火災信号を送信する発信機１００が設置されている。実施の形態１では、発信機１００が、消火栓箱及び消火器箱からなる消火栓装置（設備機器２００）に取り付けられた態様を一例として示しており、発信機１００の近傍には表示灯２０３が設けられている。設備機器２００は、本体２０１と、本体２０１の正面外郭の一部を構成する正面板２０２とを備えている。発信機１００は正面板２０２に取り付けられている。
【００１３】
［発信機１００の構成説明］
図２は、実施の形態１に係る発信機１００の概要構成例図である。なお、図２（ａ）は発信機１００の分解斜視図であり、図２（ｂ）は保護カバー２の正面図であり、図２（ｃ）は保護カバー２の第１の領域Ｒ１及び第２の領域Ｒ２の説明図である。
【００１４】
図３は、（ａ）が実施の形態１に係る発信機１００の正面図であり、（ｂ）が（ａ）に示すＡ−Ａ断面図であり、（ｃ）が発信機１００を側方から見た図である。図４は、実施の形態１に係る発信機の斜視図である。なお、図４（ａ）は治具６を発信機１００の開口部２Ａ１及び開口部２Ａ２に挿入する前の状態を示し、図４（ｂ）は治具６を発信機１００の開口部２Ａ１及び開口部２Ａ２に挿入した状態を示している。また、図４（ｃ）は、発信機１００の保護カバー２を取り外した状態を示している。
【００１５】
発信機１００は、筐体１と、保護カバー２と、押ボタン３と、押込部材４とを備えている。また、発信機１００は、ガイド部材５Ａ及びガイド部材５Ｂと、枠体７とを備えている。なお、発信機１００は、治具６を用いることで、点検時の動作試験を行うことができる。
【００１６】
（筐体１）
筐体１は、開口部１Ｂが複数形成されている平板１Ａと、押ボタン３を収容する空間が形成されている収容部１Ｃと、枠体７を筐体１に取り付けるときに枠体７の連結部７Ｃが挿入される挿入部１Ｄとを備えている。平板１Ａは、例えば円板状部材で構成することができる。平板１Ａには、４つの開口部１Ｂが形成されている。開口部１Ｂには図示省略の固定部材（例えば、ボルト等）が挿入されて、発信機１００は正面板２０２（図１（ｂ）参照）に固定される。平板１Ａの中央部には収容部１Ｃが設けられている。収容部１Ｃは、例えば押ボタン３を収容する椀状部材で構成することができる。挿入部１Ｄは平板１Ａと収容部１Ｃとが固定される部分に複数形成されている。
【００１７】
（保護カバー２）
保護カバー２は、筐体１に取り付けられ、押ボタン３を保護する。保護カバー２及び収容部１Ｃによって形成される内部空間には、押ボタン３と、押込部材４と、ガイド部材５Ａ及びガイド部材５Ｂとが配置されている。保護カバー２は、外側面が枠体７に対向しており、内側面が押込部材４に対向している。保護カバー２には、開口部（開口部２Ａ１及び開口部２Ａ２）が形成されている。実施の形態１では、保護カバー２は、開口部が複数形成されている態様を示しているが、単数形成されている態様であってもよい。
【００１８】
発信機１００がトンネルＴｕ内に設置される場合には、清掃車の放水により、保護カバー２及び収容部１Ｃによって形成される内部空間に水が入り込んでしまう場合がある。そこで、筐体１に取り付けられた状態において、開口部２Ａ２が保護カバー２の下部に配置されている（図１（ｂ）及び図４（ａ））。これにより、この内部空間に入り込んだ水が、当該内部空間に貯留されてしまい、発信機１００の電子機器が動作しなくなってしまうことを回避することができる。
【００１９】
保護カバー２は、例えば、フレキシブルガラスからなる円板状部材で構成することができる。保護カバー２は、図２（ｂ）に示すように、環状の周縁部２Ｂと、周縁部２Ｂの内側に配置された中心部２Ｃと、周縁部２Ｂと中心部２Ｃとの間に形成されている薄肉部２Ｄとを含む。薄肉部２Ｄは周縁部２Ｂ及び中心部２Ｃよりも厚みが薄くなっている。薄肉部２Ｄは、図２（ｂ）に示すように、円弧状に形成する。なお、薄肉部２Ｄは、円弧状ではなく、例えば弧状の溝部でもよい。火災等が発生した場合には、発信機１００の操作者が、保護カバー２を押し込んで破壊することで押ボタン３を押下し、発信機１００を作動させる。ここで、薄肉部２Ｄが形成されていると、保護カバー２を押し込んだときに、周縁部２Ｂから中心部２Ｃを分離させやすい。つまり、保護カバー２が破壊しやすくなるので、その結果、押ボタン３も押下しやすくなる。
【００２０】
開口部２Ａ１及び開口部２Ａ２は、薄肉部２Ｄに形成されている。これにより、治具６の棒状部６Ｂを挿入する機能を確保しながら、保護カバー２の破壊のしやすさをより向上させることができる。開口部２Ａ１及び開口部２Ａ２の形状は、治具６の棒状部６Ｂに対応する円形状である。開口部２Ａ１及び開口部２Ａ２の形状は、棒状部６Ｂが挿入できれば、例えば楕円形状であっても多角形状であってもよい。なお、開口部２Ａ１及び開口部２Ａ２の形状は、棒状部６Ｂの断面形状と同一であると棒状部６Ｂのガイドになるので、より好ましい。
【００２１】
図２（ｃ）に示すように、保護カバー２のうち、正面から見たときに後述する押込面３Ａの形成範囲と重なる部分を第１の領域Ｒ１とする。つまり、押込面３Ａを保護カバー２に正射影したときの領域が第１の領域Ｒ１である。また、保護カバー２のうち、第１の領域Ｒ１よりも保護カバー２の縁側の部分を第２の領域Ｒ２とする。保護カバー２の縁２Ｅは、保護カバー２に環状に形成されている。開口部２Ａ１及び開口部２Ａ２は、第２の領域Ｒ２に形成されている。開口部２Ａ１及び開口部２Ａ２が第２の領域Ｒ２に形成されていると、発信機１００の点検者以外の者（後述する治具６を持たない者）が、棒状部材を開口部２Ａ１及び開口部２Ａ２のうちの一方に挿入しても、押込部材４が平行移動しないので、押ボタン３が不必要に押されてしまうことを回避できる。
【００２２】
（押ボタン３）
押ボタン３は、火災等が発生した旨の信号を送信する際に押下されるボタンである。押ボタン３は、筐体１の収容部１Ｃに配置されている。押ボタン３の押込方向は、発信機１００の設置時における奥行方向であり、図２（ａ）に示すＸ方向である。押ボタン３には、例えば平面状に形成されている押込面３Ａが形成されている。押込面３Ａは、押込部材４に対向している。押込部材４が押し込まれることで、押ボタン３も押し込まれる。
【００２３】
（押込部材４）
押込部材４は、例えば棒状部材で構成することができる。押込部材４は、保護カバー２と押ボタン３との間に配置されている。なお、実施の形態１の説明では保護カバー２と押ボタン３の間が押込部材４の厚みより大きく形成されているものとして説明するが、保護カバー２と押ボタン３の間が押込部材４の厚みとほぼ同じでもよい。すなわち、保護カバー２と押ボタン３とに接するように押込部材４が設けられていてもよい。押込部材４は、押し込まれる押ボタン３の動作に追従して保護カバー２側から押ボタン３側に移動するように構成されている。ここで、保護カバー２側から押ボタン３側へ向かう方向は、上述したＸ方向に対応している。つまり、押込部材４が治具６によって押し込まれると、押込部材４はＸ方向に平行移動する。押ボタン３は平行移動する押込部材４によって押下される。なお、押込部材４の位置ずれが生じたり、押込部材４が回転移動をしたりすることがないように、押込部材４の動きは、後述するガイド部材５Ａ及びガイド部材５Ｂによって規制されている。つまり、押込部材４は、押し込まれることでガイド部材５Ａ及びガイド部材５Ｂに沿って、保護カバー２側から押ボタン３側に移動可能となっている。
【００２４】
押込部材４は、その一部が開口部２Ａ１及び開口部２Ａ２が形成されている位置に対向して配置されている。つまり、保護カバー２及び押込部材４を正面から見たときにおいて、保護カバー２の開口部２Ａ１及び開口部２Ａ２と、押込部材４の一部とが重なっている。本実施の形態１では、この押込部材４の一部とは、押込部材４の一端部及び他端部に対応する。
【００２５】
押込部材４には、治具６の棒状部６Ｂと当接する当接面４Ａが形成されている。押込部材４の一方の端部及び他方の端部にそれぞれ当接面４Ａが形成されている。これにより、治具６で押込部材４を押し込むときの操作性を向上させることができる。
【００２６】
（ガイド部材５Ａ及びガイド部材５Ｂ）
ガイド部材５Ａ及びガイド部材５Ｂは、筐体１の収容部１Ｃに配置されている。ガイド部材５Ａは、収容部１Ｃの内周面に沿うように形成されている弧状部５Ａ０と、弧状部５Ａ０の一端部に接続されたガイド５Ａ１と、弧状部５Ａ０の他端部に接続されたガイド５Ａ２とを備えている。ガイド５Ａ１及びガイド５Ａ２は、例えば平板状部材で構成することができる。ガイド５Ａ１及びガイド５Ａ２にはＸ方向に延びるように形成されている摺動面が形成されている。ガイド部材５Ｂは、ガイド部材５Ａと同様の形状を有している。ガイド部材５Ｂは、収容部１Ｃの内周面に沿うように形成されている弧状部５Ｂ０と、弧状部５Ｂ０の一端部に接続されたガイド５Ｂ１と、弧状部５Ｂ０の他端部に接続されたガイド５Ｂ２とを備えている。ガイド５Ｂ１及びガイド５Ｂ２は、例えば平板状部材で構成することができる。ガイド５Ｂ１及びガイド５Ｂ２にはＸ方向に延びるように形成されている摺動面が形成されている。
【００２７】
ガイド５Ａ１の摺動面とガイド５Ｂ１の摺動面とは後述する治具６の棒状部６Ｂの径よりわずかに大きい隙間５Ｃ１をあけて対向し、ガイド５Ａ２の摺動面とガイド５Ｂ２の摺動面とは隙間５Ｃ２をあけて対向している。押込部材４の一端側は隙間５Ｃ１の手前側（Ｘ方向の反対側）に配置されており、押込部材４がＸ方向側に移動すると、押込部材４とガイド５Ａ１の摺動面及びガイド５Ｂ１の摺動面とが摺動する。押込部材４の他端側は隙間５Ｃ２に配置されており、押込部材４がＸ方向側に移動すると、押込部材４がガイド５Ａ２の摺動面及びガイド５Ｂ２の摺動面にガイドされて摺動する。このように、ガイド部材５Ａ及びガイド部材５Ｂは、押込部材４の移動方向がＸ方向に平行となるように規制している。
【００２８】
なお、実施の形態１では、ガイド部材５Ａ及びガイド部材５Ｂが筐体１とは別体である態様を説明したが、一体であってもよい。
【００２９】
（枠体７）
枠体７は、保護カバー２の周縁部２Ｂの外側面に対向する環状部７Ａと、環状部７Ａに設けられた連結部７Ｃとを備えている。なお、保護カバー２が露出するように、枠体７の中央部には開口部７Ｂが形成されている。連結部７Ｃは複数形成されている。連結部７Ｃが挿入部１Ｄに挿入されることで、枠体７が筐体１に取り付けられる。枠体７が筐体１に取り付けられることで、保護カバー２を筐体１に固定することができる。
【００３０】
（治具６）
治具６は、発信機１００の点検時の動作試験をするときに用いられる。治具６は、点検者が持つ部分である握持部６Ａと、開口部２Ａ１及び開口部２Ａ２に挿入する２つの棒状部６Ｂとを備えている。一方の棒状部６Ｂは、開口部２Ａ１に挿入され、押込部材４の開口部２Ａ１に対向する一端部の当接面４Ａに当接する。他方の棒状部６Ｂは、開口部２Ａ２に挿入され、押込部材４の開口部２Ａ２に対向する他端部の当接面４Ａに当接する。点検者が治具６を押し込むと、押込部材４がＸ方向に平行に移動する。このＸ方向に平行に移動する押込部材４によって押ボタン３が押し込まれる。
【００３１】
［実施の形態１の動作説明］
図４（ａ）及び図４（ｂ）に示すように、点検者が治具６の各棒状部６Ｂを開口部２Ａ１及び開口部２Ａ２に挿入する。これにより、各棒状部６Ｂの先端と押込部材４の外側面とが当接し（図３（ｂ））、押込部材４がＸ方向に押し込まれる。ここで、押込部材４の両端部が治具６によって押し込まれるので、押込部材４の全体が平行移動する。また、押込部材４はガイド部材５Ａ及びガイド部材５Ａによって移動方向が規制されているので、押込部材４が押し込まれた際に、押込部材４は、Ｘ方向に平行移動する。点検者が押込部材４と押込面３Ａとが当接するまで治具６を挿入し、その状態から更に、点検者が治具６を挿入することで押ボタン３を押下できる。
【００３２】
［実施の形態１の効果］
発信機１００は押ボタン３の対向位置に押込部材４が配置されている。また、治具６の棒状部６Ｂが挿通される開口部２Ａ１及び開口部２Ａ２は保護カバー２の外周部（第２の領域Ｒ２）にある。このため、発信機１００の動作試験の際には、治具６で直接、押ボタン３を押し込むのではなく、押込部材４を介して押ボタン３を押し込むことになる。したがって、発信機１００の動作試験を行う際に、保護カバー２を破壊せずに、かつ、発信機１００の押ボタン３が破損等してしまうことを抑制することができる。つまり、発信機１００は押込部材４を備えているので、円滑な点検作業が可能となっている。
【００３３】
保護カバー２に開口部が形成されていると、例えば治具６を持たない者が棒状部材を開口部に挿入し、不必要に発信機１００を作動させるいたずらが発生する可能性がある。そこで、保護カバー２は、治具６を挿入する開口部（開口部２Ａ１及び開口部２Ａ２）が第２の領域Ｒ２に形成され、また、押込部材４は、開口部（開口部２Ａ１及び開口部２Ａ２）が形成されている位置に配置されている。例えば、発信機１００の試験者以外の者が、開口部２Ａ１に棒状部材を挿入して、いたずらをしても、押込部材４が平行移動しない。押込部材４を平行移動させるには、開口部２Ａ１及び開口部２Ａ２に同時に、棒状部材を挿入する必要があるためである。このように、発信機１００は、押ボタン３が不必要に押されてしまうことを回避できる構成を備えており、不必要に作動してしまいにくい。
【００３４】
［開口部の変形例］
開口部２Ａ１と開口部２Ａ２とをつなぐような形状の単数の開口部を保護カバー２に形成してもよい。言い換えると、開口部２Ａ１及び開口部２Ａ２の形成範囲を含むより広い形成範囲の開口部を保護カバー２に１つ形成するということである。この場合には、保護カバー２の開口面積は増加することになるが、開口部２Ａ１及び開口部２Ａ２が形成されている保護カバー２と同様の効果を得ることができる。なお、ここで説明したような単数の開口部を形成する場合には、開口部２Ａ１に対応する開口部分と開口部２Ａ２に対応する開口部分とを繋ぐ開口部分（以下、当該開口部分と称する）を、細い孔形状とするとよい。これにより、当該開口部分が保護カバー２の第１の領域Ｒ１に含まれていても、当該開口部の孔が細いので、治具６を持たない者は、棒状部材を当該開口部分に挿入しにくく、棒状部材で押ボタン３を押しにくくなる。つまり、不必要に発信機１００が作動してしまうことを回避しやすくなる。また、ここで説明したような単数の開口部を形成する場合には、当該開口部分の形成範囲から、第１の領域Ｒ１を外すとよりよい。これにより、不必要に発信機１００が作動してしまうことをより回避しやすくなる。
【００３５】
実施の形態２．
図５は、実施の形態２に係る発信機１２０の概要構成例図である。なお、図５（ａ）は発信機１２０の分解斜視図であり、図５（ｂ）は保護カバー２の正面図である。図６は、（ａ）が実施の形態２に係る発信機１２０の正面図であり、（ｂ）が（ａ）に示すＡ−Ａ断面図である。図７は、実施の形態２に係る発信機１２０が備える構成の一部及び治具６の斜視図である。図７（ａ）は保護カバー２０、ガイド部材５０Ａ、ガイド部材５０Ｂ、押込部材４及び治具６の斜視図である。図７（ｂ）は、図７（ａ）に示す状態におけるガイド部材５０Ａ、ガイド部材５０Ｂ及び押込部材４０の斜視図である。
実施の形態２では、実施の形態１と共通する構成には同一符号を付している。実施の形態２では、実施の形態１との相違点を中心に説明する。
【００３６】
実施の形態１では、押込部材４０の動きが平行移動であった。実施の形態２では、押込部材４０の動きが、平行移動だけでなく、回転移動（回動）も含んでいる。
【００３７】
発信機１２０は、保護カバー２０と、押込部材４０と、ガイド部材５０Ａ及びガイド部材５０Ｂとを備えている。
【００３８】
（保護カバー２０）
保護カバー２０には、開口部２０Ａ１及び開口部２０Ａ２が形成されている。なお、開口部２０Ａ１が実施の形態１の開口部２Ａ１に対応し、開口部２０Ａ２が実施の形態１の開口部２Ａ２に対応する。実施の形態１において、開口部２Ａ１及び開口部２Ａ２の形状は、治具６の棒状部６Ｂに対応する円形状の孔部であった。一方、実施の形態２において、開口部２０Ａ１及び開口部２０Ａ２は、円弧状に孔部が形成されている。なお、開口部２０Ａ１及び開口部２０Ａ２が円弧状に形成されるのは、押込部材４が回転移動しても、治具６で押込部材４０を押し込めるようにするためである。図５（ｂ）に示すように、開口部２０Ａ１及び開口部２０Ａ２は、発信機１２０の設置状態において保護カバー２０の中心Ｏを通る垂線Ｌ０側から、右周りに延びるように形成された円弧状の孔部である。より具体的には、開口部２０Ａ１は、円弧の一端に対応する端部ａと円弧の他端に対応する端部ｂとを含み、端部ａ側から端部ｂ側にかけて円弧状に延びるように形成されている。開口部２Ａ１の中心角θ１は、本実施の形態２では６０度程度に設定している。なお、中心角θ１は、中心Ｏ及び端部ａを通る直線Ｌａと、中心Ｏ及び端部ｂを通る直線Ｌｂとがなす角度である。開口部２０Ａ２は、開口部２０Ａ１を中心Ｏに対称移動した位置に形成されている。開口部２０Ａ２は、円弧の一端に対応する端部ｃと円弧の他端に対応する端部ｄとを含み、端部ｃ側から端部ｄ側にかけて円弧状に延びるように形成されている。開口部２Ａ２の中心角θ２は、中心角θ１と同じ角度である。なお、中心角θ２は、中心Ｏ及び端部ｃを通る直線Ｌｃと、中心Ｏ及び端部ｄとを通る直線Ｌｄとがなす角度である。なお、中心角θ１及び中心角θ２は、６０度に限定されるものではなく、例えば０度より大きく、１８０度より小さい角度に設定することができる。開口部２０Ａ２は、端部ｃと端部ｄとの間に垂線Ｌ０が位置するように形成されている。つまり、開口部２０Ａ２の円弧状の孔部の形成範囲には、保護カバー２０の最下部が含まれるので、発信機１２０の内部空間に入り込んだ水が、開口部２０Ａ２から排出され、発信機１２０の電子機器が動作しなくなってしまうことを回避することができる。なお、開口部２０Ａ２は、端部ｃが垂線Ｌ０上に位置するように形成されていてもよい。この構成であっても、発信機１２０の内部空間の排水性能を確保することができる。
【００３９】
押込部材４０を押し込むと、後述するガイド部材５０Ａ及びガイド部材５０Ｂの作用によって、治具６に当接する押込部材４０の一端部及び他端部が回転移動することになる。このとき、治具６と保護カバー２０とが干渉してしまい、押込部材４０を更に押し込むことができなくならないように、開口部２０Ａ１及び開口部２０Ａ２は円弧状に形成されている。
【００４０】
開口部２０Ａ１及び開口部２０Ａ２は、薄肉部２Ｄに形成されている。これにより、治具６の棒状部６Ｂを挿入する機能を確保しながら、保護カバー２０の破壊のしやすさをより向上させることができる。
【００４１】
（押込部材４０）
押込部材４０は、押込部材４０によって移動方向が規制されており、保護カバー２０側から押ボタン３側に移動するときに回動する。押込部材４０は、ガイド部材５０Ａ及びガイド部材５０Ｂと摺動しやすいように、例えば円柱状に構成することができる。
【００４２】
（ガイド部材５０Ａ及びガイド部材５０Ｂ）
ガイド部材５０Ａは、収容部１Ｃの内周面に沿うように形成されている弧状部５０Ａ０と、弧状部５０Ａ０の一端部に形成されている摺動面５０Ａ１（ガイド）と、弧状部５０Ａ０の他端部に形成されている摺動面５０Ａ２（ガイド）とを備えている。摺動面５０Ａ１及び摺動面５０Ａ２は、直線状の傾斜面で構成されている。ガイド部材５０Ｂは、ガイド部材５０Ａと同様の形状を有している。ガイド部材５０Ｂは、収容部１Ｃの内周面に沿うように形成されている弧状部５０Ｂ０と、弧状部５０Ｂ０の一端部に形成されている摺動面５０Ｂ１（ガイド）と、弧状部５０Ｂ０の他端部に形成されている摺動面５０Ｂ２（ガイド）とを備えている。摺動面５０Ｂ１及び摺動面５０Ｂ２は直線状の傾斜面で構成されている。なお、摺動面５０Ａ１及び摺動面５０Ａ２並びに摺動面５０Ｂ１及び摺動面５０Ｂ２の傾斜面は、直線状でなく曲線状でもよく、さらに円弧状になっていてもよい。
【００４３】
摺動面５０Ａ１と摺動面５０Ｂ１とは隙間５０Ｃ１をあけて対向し、摺動面５０Ａ２と摺動面５０Ｂ２とは隙間５０Ｃ２をあけて対向している。隙間５０Ｃ１及び隙間５０Ｃ２は、押込部材４０の幅、厚さよりわずかに大きい。押込部材４０の一端側は隙間５０Ｃ１の手前側（Ｘ方向の反対側）に配置されており、押込部材４０がＸ方向側に押し込まれると、押込部材４０が摺動面５０Ａ１及び摺動面５０Ｂ１にガイドされて摺動する。押込部材４０の他端側は隙間５０Ｃ２の手前側（Ｘ方向の反対側）に配置されており、押込部材４０がＸ方向側に押し込まれると、押込部材４０が摺動面５０Ａ２及び摺動面５０Ｂ２にガイドされて摺動する。図５（ｂ）及び図７（ｂ）に示すように、隙間５０Ｃ１のうちの手前側部分ｓ１は、端部ａの位置に対応するように設けられており、発信機１２０の設置状態における上側に位置している。隙間５０Ｃ２のうちの手前側部分ｓ２は、端部ｃの位置に対応するように設けられており、発信機１２０の設置状態における下側に位置している。隙間５０Ｃ１のうちの奥側部分ｓ３は、端部ｂの位置に対応するように設けられており、発信機１２０を正面視したときに手前側部分ｓ１から右周りに中心角θ１だけずれた所に位置している。隙間５０Ｃ２のうちの奥側部分ｓ４は、端部ｄの位置に対応するように設けられており、発信機１２０を正面視したときに手前側部分ｓ２から右周りに中心角θ２だけずれた所に位置している。発信機１２０はガイド部材５０Ａ及びガイド部材５０Ｂが備えられているので、押込部材４０の移動方向が、Ｘ方向に平行な方向だけでなく、回転方向も含む。すなわち、押込部材４０は通常時は発信機１２０の設置状態において略垂直に配置され、押し込まれると右回りに回動しながら奥側へ移動する。押込部材４０の通常時の位置と、点検時（押し込まれたとき）の位置とは、ねじれの位置の関係になる。
【００４４】
［実施の形態２の動作説明］
点検者が治具６の各棒状部６Ｂを開口部２０Ａ１及び開口部２０Ａ２に挿入する。これにより、各棒状部６Ｂの先端と押込部材４０の外側面とが当接する。ここで、押込部材４０はガイド部材５０Ａ及びガイド部材５０Ａによって移動方向が規制されているので、点検者は、治具６を回転させながら、開口部２０Ａ１及び開口部２０Ａ２に挿入していく。これにより、押込部材４０の全体が回転しながらＸ方向に平行移動する。点検者が押込部材４０と押込面３Ａとが当接するまで治具６を回転させながら挿入し、その状態から更に、点検者が治具６を回転させながら挿入することで押ボタン３を押下できる。
【００４５】
［実施の形態２の効果］
実施の形態２に係る発信機１２０は、実施の形態１に係る発信機１００と同様の効果を有することに加えて次の効果を有する。発信機１２０は、押込部材４０の動きが、平行移動だけでなく、回転移動も含み、より複雑化している。このため、発信機１００の試験者以外の者は、開口部２Ａ１に棒状部材を挿入していたずらをしようとしても、押込部材４０を動かしにくい。したがって、発信機１２０は、押ボタン３が不必要に押されてしまうことをより回避することができる。
【００４６】
発信機には、一度押ボタンを押せば、火災状態を維持する（いわゆる自己保持機能を有する）ものと、押ボタンを押し続けた状態を維持しないと火災状態を維持しない（いわゆる自己保持機能を有さない）ものとが存在する。また、押ボタン３は例えば弾性体を備えており、押ボタン３を押し込むと、押し込まれる前の元の状態に戻ろうとする復元力が働く。したがって、自己保持機能を有さない発信機の場合、ガイド部材５０Ａ及びガイド部材５０Ｂを備えていないような発信機では、治具６を離してしまうと、押ボタン３が復元力で元の状態に戻り、火災信号を送信できなくなる場合がある。そこで、発信機１２０は火災信号が送信できなくなることを回避できるよう、次に説明する自己保持機能を有している。点検者は、治具６を右周りに回して押込部材４０を押し込み、押込部材４０を摺動面（摺動面５０Ａ１、摺動面５０Ａ２、摺動面５０Ｂ１及び摺動面５０Ｂ２）の下端まで移動させる。なお、この摺動面の下端は、奥側部分ｓ３の位置及び奥側部分ｓ４の位置に対応している。そして、点検者が押込部材４０を移動させた状態から更に治具６を右周りに回すと、押込部材４０がガイド部材５０Ａ及びガイド部材５０Ｂの端面Ｌｐ（図６（ｂ）及び図７参照）に入り込む。押込部材４０は、押ボタン３からＸ方向とは反対側の力を受けるが、端面Ｌｐによって動きが規制されているため、押込部材４０が押ボタン３を押し込み続ける状態が保持される。このとき、押込部材４０は押ボタン３の押込面３Ａとガイド部材５０Ａ及びガイド部材５０Ｂの端面Ｌｐとの間に挟み込まれている。この状態から元に戻す場合には、点検者は、左周りに治具６を回せばよい。なお、自己保持機能を有する場合には、点検者が押込部材４０を摺動面の下端に移動させた状態から更に治具６を右周りに回すことが必要となる。したがって、更に治具６を右周りに回すことができるように、その分中心角θ１及び中心角θ２を大きく設定し、開口部２０Ａ１及び開口部２０Ａ２の大きさに余裕を持たせておくとよい。このように、押込部材４０が押ボタン３を押し続けるので、仮に押し続けた状態を維持しないと信号を送信しない押ボタン３を備えていても、確実に試験をする際に信号を送信することができる。
【符号の説明】
【００４７】
１  筐体、１Ａ  平板、１Ｂ  開口部、１Ｃ  収容部、１Ｄ  挿入部、２  保護カバー、２Ａ１  開口部、２Ａ２  開口部、２Ｂ  周縁部、２Ｃ  中心部、２Ｄ  薄肉部、２Ｅ  縁、３  押ボタン、３Ａ  押込面、４  押込部材、４Ａ  当接面、５Ａ  ガイド部材、５Ａ０  弧状部、５Ａ１  ガイド、５Ａ２  ガイド、５Ｂ  ガイド部材、５Ｂ０  弧状部、５Ｂ１  ガイド、５Ｂ２  ガイド、５Ｃ１  隙間、５Ｃ２  隙間、６  治具、６Ａ  握持部、６Ｂ  棒状部、７  枠体、７Ａ  環状部、７Ｂ  開口部、７Ｃ  連結部、２０  保護カバー、２０Ａ１  開口部、２０Ａ２  開口部、４０  押込部材、５０Ａ  ガイド部材、５０Ａ０  弧状部、５０Ａ１  摺動面、５０Ａ２  摺動面、５０Ｂ  ガイド部材、５０Ｂ０  弧状部、５０Ｂ１  摺動面、５０Ｂ２  摺動面、５０Ｃ１  隙間、５０Ｃ２  隙間、１００  発信機、１２０  発信機、２００  設備機器、２０２  正面板、２０３  表示灯、Ｒ１  第１の領域、Ｒ２  第２の領域、Ｔｕ  トンネル、ａ  端部、ｂ  端部、ｃ  端部、ｄ  端部、θ１  中心角、θ２  中心角、ｓ１  手前側部分、ｓ２  手前側部分、ｓ３  奥側部分、ｓ４  奥側部分、Ｌｐ  端面。
【図１】
2018081341.tif 000003
【図２】
2018081341.tif 000004
【図３】
2018081341.tif 000005
【図４】
2018081341.tif 000006
【図５】
2018081341.tif 000007
【図６】
2018081341.tif 000008
【図７】
2018081341.tif 000009